【事件の表示】
　特願２０１３−１２６８０３号「遊技機」拒絶査定不服審判事件〔平成２７年　１月　５日出願公開、特開２０１５−　　　２４１号〕について、次のとおり審決する。
【結　論】
　本件審判の請求は、成り立たない。
【理　由】
第１　手続の経緯
　本願は、平成２５年６月１７日の出願であって、平成２９年２月３日付けで拒絶の理由が通知され、平成２９年４月１７日に意見書及び手続補正書が提出されたところ、平成２９年４月２５日付けで拒絶査定がなされ、これに対して、平成２９年８月９日に拒絶査定不服審判の請求がなされると同時に手続補正がなされたものである。
第２　平成２９年８月９日付け手続補正についての補正却下の決定
［補正却下の決定の結論］　
　平成２９年８月９日付け手続補正（以下、「本件補正」という。）を却下する。
［理由］　
１　本件補正の概要
　本件補正は、特許請求の範囲の請求項１の記載の補正を含む補正であり、本件補正前の平成２９年４月１７日付けの手続補正書における請求項１の記載と、本件補正後の特許請求の範囲の請求項１の記載は、それぞれ次のとおりである。
（補正前：平成２９年４月１７日付け手続補正）
「【請求項１】
　遊技球が流下可能な遊技領域に変動表示ゲームを表示可能な表示装置の前方で当該表示装置の表示領域の周囲を囲む枠状の前面構成体を備える遊技機において、
　前記前面構成体は、当該前面構成体内への遊技球の進入を防止する鎧部を備え、
　前記鎧部で区画された領域の外側と内側とを跨ぐように装飾部材が配設され、
　前記装飾部材は、所定の遊技状態に基づいて移動可能に構成され、前記鎧部の内側方向へ移動することにより、前記遊技領域の後方に位置していた部位が前記表示装置の表示領域の前方に移動し、当該表示領域の前方領域において当該装飾部材の全体像が把握可能となることを特徴とする遊技機。」
（補正後：平成２９年８月９日付け手続補正）
「【請求項１】
Ａ　遊技球が流下可能な遊技領域に変動表示ゲームを表示可能な表示装置の前方で当該表示装置の表示領域の周囲を囲む枠状の前面構成体を備える遊技機において、
Ｂ　前記前面構成体は、当該前面構成体内への遊技球の進入を防止する鎧部を備え、
Ｃ　前記鎧部で区画された領域の外側と内側とを跨ぐように装飾部材が配設され、
Ｄ　前記装飾部材は、所定の遊技状態に基づいて移動可能に構成され、前記鎧部
で区画された領域
当該鎧部で区画された領域の外側の
裏面
当該鎧部で区画された領域の内側の
前面と重なる位置
鎧部で区画された領域の内側の前記表示装置の
前面と重なる位置
前記遊技領域の裏面に位置していた部位を含む
体が視認
（下線部は補正箇所を示す。Ａ〜Ｄは本件補正発明を分説するために当審で付した。）
２　補正の適否
（１）補正事項
　本件補正は、特許請求の範囲の請求項１について、次の補正事項を含むものである。
　補正前の請求項１における「前記装飾部材は、所定の遊技状態に基づいて移動可能に構成され、前記鎧部の内側方向へ移動することにより、前記遊技領域の後方に位置していた部位が前記表示装置の表示領域の前方に移動し、当該表示領域の前方領域において当該装飾部材の全体像が把握可能となることを特徴とする遊技機。」という記載を、「前記装飾部材は、所定の遊技状態に基づいて移動可能に構成され、前記鎧部
で区画された領域
当該鎧部で区画された領域の外側の
裏面
当該鎧部で区画された領域の内側の
前面と重なる位置
鎧部で区画された領域の内側の前記表示装置の
前面と重なる位置
前記遊技領域の裏面に位置していた部位を含む
体が視認
（２）補正の目的等についての検討
　上記補正事項は、補正前の請求項１における「装飾部材」の「移動」について、「前記鎧部の内側方向へ移動すること」を「前記鎧部で区画された領域の内側方向へ移動すること」に限定し、「前記遊技領域の後方に位置していた部位が前記表示装置の表示領域の前方に移動」することを「当該鎧部で区画された領域の外側の前記遊技領域の裏面に位置していた部位が当該鎧部で区画された領域の内側の前記表示装置の表示領域の前面と重なる位置に移動」することに限定するものである。
　また、上記補正事項は、補正前の請求項１における「当該装飾部材の全体像が把握可能」であることについて、「当該表示領域の前方領域において当該装飾部材の全体像が把握可能となる」ことを、「当該鎧部で区画された領域の内側の前記表示装置の表示領域の前面と重なる位置において前記遊技領域の裏面に位置していた部位を含む当該装飾部材の全体が視認可能となる」ことに限定するものである。
　さらに、補正後の請求項１に記載された発明は、補正前の請求項１に記載された発明と、産業上の利用分野及び解決しようとする課題が同一である。
　したがって、本件補正は、特許法第１７条の２第５項第２号に規定する特許請求の範囲の減縮を目的とするものに該当する。
　そして、上記補正事項は、願書に最初に添付した明細書の段落【０１０１】、【０２００】、【０２０２】又は図面の図７、図５２、図５３等との関係において、新たな技術的事項を導入するものではないから、願書に最初に添付した明細書、特許請求の範囲又は図面に記載した事項の範囲内においてしたものであり、特許法第１７条の２第３項の規定に適合し、新規事項を追加するものではない。
３　独立特許要件について
　本件補正後の請求項１に記載された発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明について
　本件補正発明は、「１　本件補正の概要」に記載したとおりのものである。
（２）刊行物
（２−１）刊行物１
　本願の出願日前に頒布され、原査定の拒絶の理由において提示された刊行物である特開２０１２−１０９９２号公報（以下、「刊行物１」という。）には、図面とともに次の事項が記載されている（下線は、当審にて付した。以下、同じ。）。
（ア）「【００１１】
・・・
【図７】実施例の遊技盤の正面図であって、
透明な盤本体を透過した状態を示す
・・・」
（イ）「【００１３】
(パチンコ機について)
　図１に示すように、実施例に係る
パチンコ機１０
　
（ウ）「【００１８】
(遊技盤)
　図５〜図１２に示すように、前記遊技盤４０は、アクリルやポリカーボネート等の透明な合成樹脂製の板材からなる盤本体４２と、この
盤本体４２の後側に設けられる裏ユニット５０
パチンコ球Ｗが流下可能な遊技領域４０ａ
図柄表示装置１３において図柄変動ゲームやその他表示演出が行われる表示部１３ａ
【００１９】
(盤本体)
　図１または図１３に示すように、盤本体４２は、略矩形を基本とした平板状の部材であって、四隅が前述した中枠１２への取り付け構造に合わせて切り欠き等されて適宜形状とされている。盤本体４２は、左下部から右上部にかけて円弧状に延在する外レール４５と、この外レール４５の内側に中央下部から左上部にかけて並べて配置された内レール４６とが前面に配設されている。なお、打球発射装置３４から発射されたパチンコ球Ｗは、外レール４５と内レール４６との間を通って遊技領域４０ａの左上部に打ち出される。また、盤本体４２には、外レール４５の右上部から内レール４６の下部までの間に、右方に凹む湾曲形状の左側縁が延在する第１盤面飾り部材４７が前面右側に配設されている。そして、
盤本体４２の前面には、外レール４５、内レール４６および第１盤面飾り部材４７によって略円形の遊技領域４０ａが画成されている。
・・・
【００２１】
　図１３に示すように、前記盤本体４２には、遊技領域４０ａに設けられる表示枠体１００、各種入賞装置７０,７４および裏ユニット５０に配設される表示器４６０等に合わせて、前後に貫通形成された貫通口４２ａ,４２ｂ,４２ｃ,４２ｄ,４２ｅが複数開設されている。
盤本体４２は、遊技領域４０ａに大きく開設された表示貫通口４２ａと、
とを備えている。
【００２２】
　前記表示貫通口４２ａは、盤本体４２の上側に僅かに偏倚して大きく形成されており、盤本体の１／２以上の領域を占めている(図１３参照)。また、表示貫通口４２ａは、図柄表示装置１３における表示部１３ａの前側に形成されており、遊技盤４０では、表示部１３ａにおける表示貫通口４２ａの内側に重なる領域で少なくとも図柄変動ゲームが行われるようになっている。そして、
盤本体４２には、表示貫通口４２ａに嵌め合わせて後述する表示枠体１００が配設されている(図５参照)。
（エ）「【００２５】
　前記裏ユニット５０には、四角形状の表示開口５３が設置板部５２の中央位置に位置して前後に貫通形成されている(図９〜図１１参照)。裏ユニット５０は、遊技盤４０を演出または装飾する装置や部材が設置板部５２の前側に設置されると共に、図柄表示装置１３および中継基板３８が設置板部５２の後側に設置されるようになっている。実施例の遊技盤４０では、
裏ユニット５０において設置板部５２の表示開口５３の上側に延在する上辺部５２ａ前面に、第１可動演出装置５００が設置され
【００２６】
　前記遊技盤４０では、
図柄表示装置１３がその表示部１３ａを表示開口５３に臨ませて、裏ユニット５０における設置板部５２の後側に取り付けられている(図２または図８参照)。
・・・
【００３０】
　このように、遊技盤４０には、表示部１３ａを囲んで上側の第１可動演出装置５００、左右の第２,第３可動演出装置７５０,７８０、下側の照明装置３００が設置され、これらの装置によって所要の演出を行い得るように構成される(図５または図６参照)。なお、実施例の遊技盤４０では、第１〜第３可動演出装置５００,７５０,７８０の夫々に設けられた可動体が、
図柄表示装置１３における該遊技盤４０の前側に臨む表示部１３ａの周縁部にある第１位置
（オ）「【００４０】
(表示枠体)
　図５または図６に示すように、前記盤本体４２には、センター役物とも称される大型の装飾部材である表示枠体１００が配設されている。
表示枠体１００は、内側に窓口１００ａを画成する額縁形状に形成され
盤本体４２に取り付けた表示枠体１００により表示貫通口４２ａの開口縁が縁取られるようになっている(図５参照)。表示枠体１００は、正面視で略円環状の外形を基本として
【００４１】
　前記表示枠体１００は、窓口１００ａが裏ユニット５０の表示開口５３より大きく形成されると共に、窓口１００ａの内側に表示開口５３が位置するように盤本体４２に取り付けられている(図５参照)。すなわち、遊技盤４０では、図柄表示装置１３における表示開口５３を介して前側に臨む表示部１３ａが窓口１００ａの内側に位置するようになっている。遊技盤４０は、
表示部１３ａを囲う表示枠体１００
・・・
【００４３】
　前記庇部分１０６は、枠体フランジ部分１０４よりパチンコ球Ｗの直径以上の寸法で突出し(図２１または図２４参照)、表示枠体１００は、
庇部分１０６によって遊技領域４０ａに打ち出されたパチンコ球Ｗが窓口１００ａ(表示部１３ａ)を横切って流下するのを規制している。表示枠体１００には、庇部分１０６が表示枠体１００の上縁から左右の両側縁にかけての部位と右下部に形成された拡張部１０２を囲む部位とに設けられている(図２４参照)。表示枠体１００は、左側縁下部から拡張部１０２の左側縁上部にかけての下縁に庇部分が設けられておらず、この下縁の前面をなす枠体フランジ部分１０４が盤本体４２の前面と略同一面を構成しており
（カ）「【０２０１】
(第１可動演出装置について)
　次に、第１可動演出装置(可動演出装置)５００について、以下説明を行う。
第１可動演出装置５００は、
該可動体装置５０２の前側において上下方向に往復移動する可動部材(支持部材)５０３および
とから基本的に構成されている。
（キ）「【０２４０】
(可動部材について)
　
前記可動部材５０３は、図１００に示すように、横並びに配列した英文字が前面に付された遊技演出部材であって、左右方向に長尺に構成されている。可動部材５０３は、裏ユニット５０における表示開口５３の上縁辺と上側の周板部５４との間に位置する第１位置(図５参照)から、図柄表示装置１３の表示部１３ａにおける中央部側の第２位置(図６参照)まで移動可能に構成される。
図７に示すように、可動部材５０３が第１位置にあっては、左右の側部が表示枠体１００の窓口１００ａよりも外側(側方)に突出している。
可動部材５０３は、後方に開放する箱状に形成された可動部材本体５７９と、
とから基本的に構成される。
【０２４１】
(可動部材本体について)
　図１０１,図１０２に示すように、
前記可動部材本体５７９は、左右方向(長手方向)に離間する両端部に設けられた２つの重なり部５８２,５８２と、左右方向の中央部に設けられて重なり部５８２,５８２より前方に突出する露出部５８３とから構成され
左右の重なり部５８２,５８２は、可動部材５０３の第１位置において、一部が盤本体４２と設置板部５２(裏ユニット５０)との間に位置しており、図７に示すように、重なり部５８２,５８２における盤本体４２の後方に位置する部位は、透明な盤本体４２および表示枠体１００を介して前方から視認し得るよう構成されている。
・・・
【０２４４】
　
前記露出部５８３は、可動部材５０３の第１位置および第２位置の何れにおいても、表示枠体１００の窓口１００ａに臨み
（ク）「【０３０８】
(第１可動演出装置の可動演出について)
　次に、第１可動演出装置５００の可動演出について、以下説明を行う。
第１可動演出装置５００では、所定条件が成立すると、可動体５０１、可動部材５０３および作動体５０４の３つの部材による複合的な可動演出が行われるようになっている。
（ケ）「【０３１６】
　
実施例に係る可動部材５０３は、図７に示すように、第１位置にあって、左右の重なり部５８２,５８２が盤本体４２と裏ユニット５０の上辺部５２ａとの間に位置しており、左右方向に長尺な構成となっている。このように長尺な可動部材５０３が下方へ移動することで、遊技者に迫力のある可動演出を提供することが可能となる。
また、可動部材５０３が下方に移動する際に、左右の重なり部５８２,５８２が左側スペース７８１および右側スペース７５１を夫々移動する。この場合も、透明な盤本体４２を介して左右の重なり部５８２,５８２を視認し得るので、遊技者は可動部材５０３の全体を確認することができ
左右の重なり部５８２,５８２は、可動部材５０３が下方に移動するにつれて、徐々に表示枠体１００の窓口１００ａに臨むので、遊技者は、重なり部５８２,５８２を含む可動部材５０３全体を直接視認することができる。
（コ）「図７に示すように、可動部材５０３が第１位置にあっては」（上記段落【０２４０】）との記載より、図７は可動部材５０３が第１位置にあるときの図であるところ、図５、図１０１と対比しつつ図７を見ると、図７には、可動部材５０３が第１位置にあるときに、左側の重なり部５８２を構成する英文字「ＧＯ」の一部の部位、及び右側の重なり部５８２を構成する英文字「Ａ」の一部の部位が、表示枠体１００よりも外側かつ外レール４５の内側に存在することが示されているといえる。
　また、上記各「一部の部位」は、図５においては視認できず、「透明な盤本体を透過した状態を示す」（上記段落【００１１】）図７においては視認できるところ、盤本体４２の後方に位置することが導かれる。
　したがって、図７には、可動部材５０３が第１位置にあるときに、左側の重なり部５８２を構成する英文字「ＧＯ」の一部の部位、及び右側の重なり部５８２を構成する英文字「Ａ」の一部の部位が、表示枠体１００よりも外側かつ外レール４５の内側に存在し、盤本体４２の後方に位置することが示されているといえる。
　上記（ア）〜（ケ）の記載事項、及び上記（コ）の図示内容から、以下の事項が導かれる。
（あ）
（あ−１）上記段落【００１８】の「パチンコ球Ｗが流下可能な遊技領域４０ａ」との記載、上記段落【００１９】の「盤本体４２の前面には、外レール４５、内レール４６および第１盤面飾り部材４７によって略円形の遊技領域４０ａが画成されている。」との記載、上記段落【００２１】の「盤本体４２は、遊技領域４０ａに大きく開設された表示貫通口４２ａと、・・・とを備えている。」との記載より、刊行物１には、盤本体４２の前面の外レール４５、内レール４６および第１盤面飾り部材４７によって画成された略円形のパチンコ球Ｗが流下可能な遊技領域４０ａに開設され、盤本体４２に備えられた表示貫通口４２ａが記載されているといえる。
　また、上記段落【００２２】の「盤本体４２には、表示貫通口４２ａに嵌め合わせて後述する表示枠体１００が配設されている(図５参照)。」との記載、上記段落【００４０】の「盤本体４２に取り付けた表示枠体１００により表示貫通口４２ａの開口縁が縁取られるようになっている(図５参照)。」との記載より、刊行物１には、表示貫通口４２ａの開口縁が縁取られるように表示貫通口４２ａに嵌め合わせて配設された表示枠体１００が記載されているといえる。
　したがって、刊行物１には、盤本体４２の前面の外レール４５、内レール４６および第１盤面飾り部材４７によって画成された略円形のパチンコ球Ｗが流下可能な遊技領域４０ａに開設され、盤本体４２に備えられた表示貫通口４２ａに、表示貫通口４２ａの開口縁が縁取られるように嵌め合わせて配設された表示枠体１００が記載されているといえる。
（あ−２）上記段落【００１８】の「盤本体４２の後側に設けられる裏ユニット５０」、「図柄表示装置１３において図柄変動ゲームやその他表示演出が行われる表示部１３ａ」との記載、上記段落【００２６】の「図柄表示装置１３がその表示部１３ａを表示開口５３に臨ませて、裏ユニット５０における設置板部５２の後側に取り付けられている(図２または図８参照)。」との記載、上記段落【００４１】の「表示部１３ａを囲う表示枠体１００」との記載より、刊行物１には、盤本体４２の後側に設けられる裏ユニット５０における設置板部５２の後側に取り付けられている図柄表示装置１３において図柄変動ゲームが行われる表示部１３ａを囲う表示枠体１００が記載されているといえる。
（あ−３）上記段落【００４０】の「表示枠体１００は、内側に窓口１００ａを画成する額縁形状に形成され」、「表示枠体１００は、正面視で略円環状の外形を基本として」との記載より、刊行物１には、内側に窓口１００ａを画成する額縁形状に形成され正面視で略円環状の外形を基本とする表示枠体１００が記載されているといえる。
（あ−４）上記段落【００４３】の「表示枠体１００は、左側縁下部から拡張部１０２の左側縁上部にかけての下縁に庇部分が設けられておらず、この下縁の前面をなす枠体フランジ部分１０４が盤本体４２の前面と略同一面を構成しており」との記載より、刊行物１には、枠体フランジ部分１０４が盤本体４２の前面と略同一面を構成する表示枠体１００が記載されているといえる。
（あ−５）上記（あ−１）〜（あ−４）での検討より、刊行物１には、
盤本体４２の前面の外レール４５、内レール４６および第１盤面飾り部材４７によって画成された略円形のパチンコ球Ｗが流下可能な遊技領域４０ａに開設され、盤本体４２に備えられた表示貫通口４２ａに、表示貫通口４２ａの開口縁が縁取られるように嵌め合わせて配設され、盤本体４２の後側に設けられる裏ユニット５０における設置板部５２の後側に取り付けられている図柄表示装置１３において図柄変動ゲームが行われる表示部１３ａを囲い、内側に窓口１００ａを画成する額縁形状に形成され正面視で略円環状の外形を基本とし、枠体フランジ部分１０４が盤本体４２の前面と略同一面を構成する表示枠体１００
（い）上記段落【００４３】の「庇部分１０６によって遊技領域４０ａに打ち出されたパチンコ球Ｗが窓口１００ａ(表示部１３ａ)を横切って流下するのを規制している。」、「表示枠体１００には、庇部分１０６が表示枠体１００の上縁から左右の両側縁にかけての部位と右下部に形成された拡張部１０２を囲む部位とに設けられている(図２４参照)。」との記載より、刊行物１には、
表示枠体１００には、遊技領域４０ａに打ち出されたパチンコ球Ｗが窓口１００ａを横切って流下するのを規制する庇部分１０６が、上縁から左右の両側縁にかけての部位と右下部に形成された拡張部１０２を囲む部位に設けられ
（う）
（う−１）上記段落【０２４０】の「可動部材５０３は、後方に開放する箱状に形成された可動部材本体５７９と、・・・とから基本的に構成される。」との記載、上記段落【０２４１】の「前記可動部材本体５７９は、左右方向(長手方向)に離間する両端部に設けられた２つの重なり部５８２,５８２と、左右方向の中央部に設けられて重なり部５８２,５８２より前方に突出する露出部５８３とから構成され」との記載より、刊行物１には、左右方向(長手方向)に離間する両端部に設けられた２つの重なり部５８２,５８２と、左右方向の中央部に設けられて重なり部５８２,５８２より前方に突出する露出部５８３とから構成される可動部材本体５７９を有する可動部材５０３が記載されているといえる。
（う−２）上記段落【００３０】の「図柄表示装置１３における該遊技盤４０の前側に臨む表示部１３ａの周縁部にある第１位置」、上記段落【０２４０】の「可動部材５０３が第１位置にあっては、左右の側部が表示枠体１００の窓口１００ａよりも外側(側方)に突出している。」との記載より、刊行物１には、表示部１３ａの周縁部にある第１位置にあっては、左右の側部が表示枠体１００の窓口１００ａよりも外側に突出している可動部材５０３が記載されているといえる。
　また、上記段落【０２４４】の「前記露出部５８３は、可動部材５０３の第１位置および第２位置の何れにおいても、表示枠体１００の窓口１００ａに臨み」との記載より、刊行物１には、第１位置において、露出部５８３が窓口１００ａに臨む、可動部材５０３が記載されているといえる。
　したがって、刊行物１には、表示部１３ａの周縁部にある第１位置にあっては、左右の側部が表示枠体１００の窓口１００ａよりも外側に突出し、かつ露出部５８３が窓口１００ａに臨む、可動部材５０３が記載されているといえる。
（う−３）上記段落【０２４０】の「前記可動部材５０３は、図１００に示すように、横並びに配列した英文字が前面に付された遊技演出部材であって、左右方向に長尺に構成されている。」との記載より、刊行物１には、横並びに配列した英文字が前面に付された遊技演出部材であって左右方向に長尺に構成されている可動部材５０３が記載されているといえる。
（う−４）上記段落【００２５】の「裏ユニット５０において設置板部５２の表示開口５３の上側に延在する上辺部５２ａ前面に、第１可動演出装置５００が設置され」、上記段落【０２０１】の「第１可動演出装置５００は、・・・、該可動体装置５０２の前側において上下方向に往復移動する可動部材(支持部材)５０３および・・・とから基本的に構成されている。」との記載より、刊行物１には、設置板部５２の表示開口５３の上側に延在する上辺部５２ａ前面に設置された可動部材５０３が記載されているといえる。
（う−５）上記（う−１）〜（う−４）での検討より、刊行物１には、
左右方向(長手方向)に離間する両端部に設けられた２つの重なり部５８２,５８２と、左右方向の中央部に設けられて重なり部５８２,５８２より前方に突出する露出部５８３とから構成される可動部材本体５７９を有し、表示部１３ａの周縁部にある第１位置にあっては、左右の側部が表示枠体１００の窓口１００ａよりも外側に突出し、かつ露出部５８３が窓口１００ａに臨み、横並びに配列した英文字が前面に付された遊技演出部材であって左右方向に長尺に構成され、設置板部５２の表示開口５３の上側に延在する上辺部５２ａ前面に設置された可動部材５０３
（え）
（え−１）上記段落【０３０８】の「第１可動演出装置５００では、所定条件が成立すると、可動体５０１、可動部材５０３および作動体５０４の３つの部材による複合的な可動演出が行われるようになっている。」との記載、上記段落【０３１６】の「このように長尺な可動部材５０３が下方へ移動することで、遊技者に迫力のある可動演出を提供することが可能となる。」との記載より、刊行物１には、可動部材５０３は、所定条件が成立すると移動することが記載されているといえる。
（え−２）上記段落【０２４０】の「可動部材５０３は、裏ユニット５０における表示開口５３の上縁辺と上側の周板部５４との間に位置する第１位置(図５参照)から、図柄表示装置１３の表示部１３ａにおける中央部側の第２位置(図６参照)まで移動可能に構成される。」との記載、上記段落【０３１６】の「実施例に係る可動部材５０３は、図７に示すように、第１位置にあって、左右の重なり部５８２,５８２が盤本体４２と裏ユニット５０の上辺部５２ａとの間に位置しており、左右方向に長尺な構成となっている。このように長尺な可動部材５０３が下方へ移動することで、遊技者に迫力のある可動演出を提供することが可能となる。」との記載より、刊行物１には、可動部材５０３は、裏ユニット５０における表示開口５３の上縁辺と上側の周板部５４との間に位置する第１位置から、図柄表示装置１３の表示部１３ａにおける中央部側の第２位置まで下方へ移動することが記載されているといえる。
（え−３）上記段落【０２４１】の「左右の重なり部５８２,５８２は、可動部材５０３の第１位置において、一部が盤本体４２と設置板部５２(裏ユニット５０)との間に位置しており、図７に示すように、重なり部５８２,５８２における盤本体４２の後方に位置する部位は、透明な盤本体４２および表示枠体１００を介して前方から視認し得るよう構成されている。」との記載、及び上記図示内容（コ）の「可動部材５０３が第１位置にあるときに、左側の重なり部５８２を構成する英文字「ＧＯ」の一部の部位、及び右側の重なり部５８２を構成する英文字「Ａ」の一部の部位が、表示枠体１００よりも外側かつ外レール４５の内側に存在し、盤本体４２の後方に位置すること」より、刊行物１には、可動部材５０３が第１位置にあるときに、表示枠体１００よりも外側かつ外レール４５の内側に存在し、重なり部５８２,５８２における盤本体４２の後方に位置する部位が記載されているといえる。
（え−４）上記（え−２）において検討したように「可動部材５０３」が「第１位置から」「第２位置まで下方へ移動」すると、当該「可動部材５０３」の一部をなす、上記（え−３）において検討した「可動部材５０３が第１位置にあるときに、表示枠体１００よりも外側かつ外レール４５の内側に存在し、重なり部５８２,５８２における盤本体４２の後方に位置する部位」が移動することは自明である。
　そうすると、上記（え−２）及び（え−３）より、刊行物１には、可動部材５０３は、裏ユニット５０における表示開口５３の上縁辺と上側の周板部５４との間に位置する第１位置から、図柄表示装置１３の表示部１３ａにおける中央部側の第２位置まで下方へ移動すると、第１位置にあるときに、表示枠体１００よりも外側かつ外レール４５の内側に存在し、重なり部５８２,５８２における盤本体４２の後方に位置していた部位が移動することが記載されているといえる。
（え−５）上記段落【０３１６】の「また、可動部材５０３が下方に移動する際に、左右の重なり部５８２,５８２が左側スペース７８１および右側スペース７５１を夫々移動する。この場合も、透明な盤本体４２を介して左右の重なり部５８２,５８２を視認し得るので、遊技者は可動部材５０３の全体を確認することができ」との記載より、刊行物１には、可動部材５０３が下方に移動する際に、透明な盤本体４２を介して左右の重なり部５８２,５８２を視認し得るので、遊技者は可動部材５０３の全体を確認することができることが記載されているといえる。
（え−６）上記（え−１）、（え−４）、（え−５）での検討を総合すると、刊行物１には、
可動部材５０３は、所定条件が成立すると移動し、裏ユニット５０における表示開口５３の上縁辺と上側の周板部５４との間に位置する第１位置から、図柄表示装置１３の表示部１３ａにおける中央部側の第２位置まで下方へ移動すると、第１位置にあるときに、表示枠体１００よりも外側かつ外レール４５の内側に存在し、重なり部５８２,５８２における盤本体４２の後方に位置していた部位が移動し、可動部材５０３が下方に移動する際に、透明な盤本体４２を介して左右の重なり部５８２,５８２を視認し得るので、遊技者は可動部材５０３の全体を確認することができる
　上記（ア）〜（ケ）の記載事項、上記（コ）の図示内容、及び上記（あ）〜（え）の認定事項より、刊行物１には、次の発明（以下、「刊行物１発明」という。）が記載されていると認められる（記号ａ〜ｄは、本件補正発明の記号Ａ〜Ｄに対応させて付した。）。
「ａ　盤本体４２の前面の外レール４５、内レール４６および第１盤面飾り部材４７によって画成された略円形のパチンコ球Ｗが流下可能な遊技領域４０ａに開設され、盤本体４２に備えられた表示貫通口４２ａに、表示貫通口４２ａの開口縁が縁取られるように嵌め合わせて配設され、盤本体４２の後側に設けられる裏ユニット５０における設置板部５２の後側に取り付けられている図柄表示装置１３において図柄変動ゲームが行われる表示部１３ａを囲い、内側に窓口１００ａを画成する額縁形状に形成され正面視で略円環状の外形を基本とし、枠体フランジ部分１０４が盤本体４２の前面と略同一面を構成する表示枠体１００を備えるパチンコ機１０において、（認定事項（あ）、段落【００１３】）
ｂ　表示枠体１００には、遊技領域４０ａに打ち出されたパチンコ球Ｗが窓口１００ａを横切って流下するのを規制する庇部分１０６が、上縁から左右の両側縁にかけての部位と右下部に形成された拡張部１０２を囲む部位に設けられ、（認定事項（い））
ｃ　左右方向(長手方向)に離間する両端部に設けられた２つの重なり部５８２,５８２と、左右方向の中央部に設けられて重なり部５８２,５８２より前方に突出する露出部５８３とから構成される可動部材本体５７９を有し、表示部１３ａの周縁部にある第１位置にあっては、左右の側部が表示枠体１００の窓口１００ａよりも外側に突出し、かつ露出部５８３が窓口１００ａに臨み、横並びに配列した英文字が前面に付された遊技演出部材であって左右方向に長尺に構成され、設置板部５２の表示開口５３の上側に延在する上辺部５２ａ前面に設置された可動部材５０３を備え、（認定事項（う））
ｄ　可動部材５０３は、所定条件が成立すると移動し、裏ユニット５０における表示開口５３の上縁辺と上側の周板部５４との間に位置する第１位置から、図柄表示装置１３の表示部１３ａにおける中央部側の第２位置まで下方へ移動すると、第１位置にあるときに、表示枠体１００よりも外側かつ外レール４５の内側に存在し、重なり部５８２,５８２における盤本体４２の後方に位置していた部位が移動し、可動部材５０３が下方に移動する際に、透明な盤本体４２を介して左右の重なり部５８２,５８２を視認し得るので、遊技者は可動部材５０３の全体を確認することができる、パチンコ機１０。（認定事項（え）、段落【００１３】）」
（３）対比
　本件補正発明と刊行物１発明とを対比する（下記の（ａ）〜（ｄ）は、刊行物１発明の構成ａ〜ｄに対応している。）。
（ａ）
（ａ−１）刊行物１発明の「パチンコ球Ｗが流下可能な遊技領域４０ａ」は、本件補正発明の「遊技球が流下可能な遊技領域」に相当する。
　また、刊行物１発明の「表示枠体１００」は、「枠体フランジ部分１０４が盤本体４２の前面と略同一面を構成する」から、本件補正発明の「前面構成体」に相当する。
　したがって、刊行物１発明において「パチンコ球Ｗが流下可能な遊技領域４０ａに」「表示枠体１００」が「開設され」ることは、本件補正発明において「遊技球が流下可能な遊技領域に」「前面構成体を備える」ことに相当する。
（ａ−２）刊行物１発明の「図柄表示装置１３」は、その「表示部１３ａ」において「図柄変動ゲームが行われる」ものであるから、本件補正発明の「変動表示ゲームを表示可能な表示装置」に相当する。
　刊行物１発明の「表示枠体１００」は「盤本体４２に備えられた表示貫通口４２ａに、表示貫通口４２ａの開口縁が縁取られるように嵌め合わせて配設され」るものであり、かつ「図柄表示装置１３」は「盤本体４２の後側に設けられる裏ユニット５０における設置板部５２の後側に取り付けられている」ところ、「表示枠体１００」と「図柄表示装置１３」の前後の位置関係は、「表示枠体１００」が「図柄表示装置１３」の前方であるといえる。
　また、刊行物１発明の「表示枠体１００」は、「表示部１３ａを囲」うものであるが、「図柄変動ゲームが行われる表示部１３ａ」が表示をおこなう領域を有することは自明であるから、「表示部１３ａ」の表示をおこなう領域「を囲」うものであるといえる。
　さらに、上記（ａ−１）での検討より、刊行物１発明の「表示枠体１００」は、本件補正発明の「前面構成体」に相当する。
　したがって、刊行物１発明の「盤本体４２に備えられた表示貫通口４２ａに、表示貫通口４２ａの開口縁が縁取られるように嵌め合わせて配設され、盤本体４２の後側に設けられる裏ユニット５０における設置板部５２の後側に取り付けられている図柄表示装置１３において図柄変動ゲームが行われる表示部１３ａを囲」う「表示枠体１００」は、本件補正発明の「変動表示ゲームを表示可能な表示装置の前方で当該表示装置の表示領域の周囲を囲む」「前面構成体」に相当する。
（ａ−３）上記（ａ−１）、（ａ−２）での検討に加え、刊行物１発明の「表示枠体１００」は「内側に窓口１００ａを画成する額縁形状に形成され」るものであり枠状であることは自明であること、及び刊行物１発明の「パチンコ機１０」は本件補正発明の「遊技機」に相当することより、刊行物１発明の「盤本体４２の前面の外レール４５、内レール４６および第１盤面飾り部材４７によって画成された略円形のパチンコ球Ｗが流下可能な遊技領域４０ａに開設され、盤本体４２に備えられた表示貫通口４２ａに、表示貫通口４２ａの開口縁が縁取られるように嵌め合わせて配設され、盤本体４２の後側に設けられる裏ユニット５０における設置板部５２の後側に取り付けられている図柄表示装置１３において図柄変動ゲームが行われる表示部１３ａを囲い、内側に窓口１００ａを画成する額縁形状に形成され正面視で略円環状の外形を基本とし、枠体フランジ部分１０４が盤本体４２の前面と略同一面を構成する表示枠体１００を備えるパチンコ機１０」は、本件補正発明の「遊技球が流下可能な遊技領域に変動表示ゲームを表示可能な表示装置の前方で当該表示装置の表示領域の周囲を囲む枠状の前面構成体を備える遊技機」に相当する。
（ｂ）刊行物１発明において、「表示枠体１００」は「内側に窓口１００ａを画成する額縁形状に形成され」（構成ａ）るものであるところ、「窓口１００ａ」は「表示枠体１００」内にあるといえる。そうすると、刊行物１発明において「遊技領域４０ａに打ち出されたパチンコ球Ｗが窓口１００ａを横切って流下するのを規制する」ことは、本件補正発明において「当該前面構成体内への遊技球の進入を防止する」ことに相当するから、刊行物１発明の「庇部分１０６」は、本件補正発明の「鎧部」に相当する。
　したがって、刊行物１発明において「表示枠体１００には、遊技領域４０ａに打ち出されたパチンコ球Ｗが窓口１００ａを横切って流下するのを規制する庇部分１０６が、上縁から左右の両側縁にかけての部位と右下部に形成された拡張部１０２を囲む部位に設けられ」ていることは、本件補正発明の「前記前面構成体は、当該前面構成体内への遊技球の進入を防止する鎧部を備え」ることに相当する。
（ｃ）
（ｃ−１）刊行物１発明においては、「表示枠体１００」が、「盤本体４２の前面の外レール４５、内レール４６および第１盤面飾り部材４７によって画成された略円形の」「遊技領域４０ａに開設され」、「盤本体４２に備えられた表示貫通口４２ａに、表示貫通口４２ａの開口縁が縁取られるように嵌め合わせて配設され」、「内側に窓口１００ａを画成する額縁形状に形成され」ており（構成ａ）、かつ「表示枠体１００に」「庇部分１０６が、上縁から左右の両側縁にかけての部位と右下部に形成された拡張部１０２を囲む部位に設けられ」ているところ（構成ｂ）、外レール４５、内レール４６および第１盤面飾り部材４７によって画成された領域が、「庇部分１０６」によって、「窓口１００ａ」のある領域と「窓口１００ａ」のない領域とに区画されているといえる。
　このとき、「表示枠体１００」は「内側に窓口１００ａを画成する」ことより、「庇部分１０６」によって区画された領域のうち、「窓口１００ａ」のない領域が本件補正発明の「前記鎧部で区画された領域の外側」に相当し、「窓口１００ａ」のある領域が本件補正発明の「前記鎧部で区画された領域の」「内側」に相当する。
（ｃ−２）刊行物１発明の「可動部材５０３」は、「第１位置にあっては、左右の側部が表示枠体１００の窓口１００ａよりも外側に突出し、かつ露出部５８３が窓口１００ａに臨」むものであるから、「左右の側部」は上記「窓口１００ａ」のない領域に存在し、「露出部５８３」は上記「窓口１００ａ」のある領域に存在するといえる。
　したがって、「左右方向に長尺に構成され」ている点をふまえると、「可動部材５０３」は、上記「窓口１００ａ」のない領域と上記「窓口１００ａ」のある領域とを跨ぐように設けられているといえる。
（ｃ−３）刊行物１発明の「可動部材５０３」は、「横並びに配列した英文字が前面に付された遊技演出部材」であるから、本件補正発明の「装飾部材」であるといえる。
（ｃ−４）上記（ｃ−１）〜（ｃ−３）での検討より、刊行物１発明において「表示部１３ａの周縁部にある第１位置にあっては、左右の側部が表示枠体１００の窓口１００ａよりも外側に突出し、かつ露出部５８３が窓口１００ａに臨み、横並びに配列した英文字が前面に付された遊技演出部材であって左右方向に長尺に構成され」ている「可動部材５０３を備え」ることは、本件補正発明において「前記鎧部で区画された領域の外側と内側とを跨ぐように装飾部材が配設され」ていることに相当する。
（ｄ）
（ｄ−１）刊行物１発明の「所定条件が成立すると移動」することは、「所定条件が成立する」という所定の遊技状態になると移動することであるといえる。
　したがって、上記（ｃ−３）での検討より、刊行物１発明の「可動部材５０３」は本件補正発明の「装飾部材」であることをふまえると、刊行物１発明の「可動部材５０３は、所定条件が成立すると移動」することは、本件補正発明の「前記装飾部材は、所定の遊技状態に基づいて移動可能に構成され」ることに相当する。
（ｄ−２）刊行物１発明での可動部材５０３の移動における、「裏ユニット５０における表示開口５３の上縁辺と上側の周板部５４との間に位置する第１位置から、図柄表示装置１３の表示部１３ａにおける中央部側の第２位置まで下方へ」と移動する方向は、上記（ｃ−１）で検討した「窓口１００ａ」のない領域から「窓口１００ａ」のある領域への方向、すなわち本件補正発明の「前記鎧部で区画された領域の内側方向」に相当する方向であるといえる。
　したがって、刊行物１発明において「裏ユニット５０における表示開口５３の上縁辺と上側の周板部５４との間に位置する第１位置から、図柄表示装置１３の表示部１３ａにおける中央部側の第２位置まで下方へ移動」することは、本件補正発明において「前記鎧部で区画された領域の内側方向へ移動すること」に相当する。
（ｄ−３）刊行物１発明においては、「表示枠体１００」が「内側に窓口１００ａを画成する」（構成ａ）ことより、「表示枠体１００よりも外側」に「窓口１００ａ」が存在しないことは自明であるから、当該「表示枠体１００よりも外側」は、上記（ｃ−１）での検討をふまえると、本件補正発明の「前記鎧部で区画された領域の外側」に相当する。
　刊行物１発明においては、「盤本体４２の前面の外レール４５、内レール４６および第１盤面飾り部材４７によって」「遊技領域４０ａ」が「画成され」る（構成ａ）から、盤本体４２の前面のうち外レール４５の内側に遊技領域４０ａが画成され、遊技領域４０ａが画成される盤本体４２の後方は、遊技領域４０ａの裏面であるといえる。したがって、刊行物１発明の「第１位置にあるときに、」「外レール４５の内側に存在し、重なり部５８２,５８２における盤本体４２の後方に位置していた部位」は、本件補正発明の「前記遊技領域の裏面に位置していた部位」に相当する。
　よって、刊行物１発明において「第１位置にあるときに、表示枠体１００よりも外側かつ外レール４５の内側に存在し、重なり部５８２,５８２における盤本体４２の後方に位置していた部位が移動」することは、本件補正発明において「当該鎧部で区画された領域の外側の前記遊技領域の裏面に位置していた部位が」「移動」することに相当する。
（ｄ−４）本願明細書を見ると、段落【００２１】には「なお、図３は、図２に示した遊技盤３０のうち取付ベース部材４０ｆ（後述）を取り外した状態を示す図となっており、後述する後方ロゴ部材４１２を直接視認することができる状態を示している。」と、段落【０２１５】には「前記装飾部材（後方ロゴ部材４１２）は、前記鎧部（右下鎧部材４０ｇ）で区画された領域の外側と内側とを跨ぐように当該装飾部材（後方ロゴ部材４１２）の一部が当該鎧部（右下鎧部材４０ｇ）で区画された領域の内側に延出するように配設したこととなる。」と、段落【０２１７】には「前記取付ベース部材４０ｆは、光を透過可能な透過部４０ｆ１を前記鎧部（右下鎧部材４０ｇ）で区画された領域の外側であって、前記遊技領域３２の後方に備え、前記装飾部材（後方ロゴ部材４１２）は、前記一部以外の部分が前記透過部４０ｆ１を介して視認可能な位置に設けられたこととなる。」と記載されているところ、図７や図２０の図示内容もあわせると、本願明細書には、装飾部材（後方ロゴ部材４１２）の鎧部で区画された領域の内側に延出する一部は、透過部４０ｆ１を介さずに直接視認し、当該一部以外の鎧部で区画された領域の外側の部分は、透過部４０ｆ１を介して視認することが記載されているといえる。
　他方、本願明細書の段落【０２００】には「図５２（ｂ）に示すように、後方ロゴ部材４１２を、前方ロゴ部材４１１の下方へスライド移動させることにより、前方ロゴ部材４１１及び後方ロゴ部材４１２を上下２段に配置させることが可能となる。」と記載されており、図５２（ｂ）には後方ロゴ部材４１２をスライド移動させる態様が図示されている。
　上記図５２（ｂ）の態様にて後方ロゴ部材４１２を移動させた場合、図７や図２０の図示内容を考慮すると、後方ロゴ部材４１２は、鎧部で区画された領域の内側に位置するといえるから、鎧部で区画された領域の外側に位置し透過部４０ｆ１を介して視認していた部分も含めて、透過部４０ｆ１を介さずに直接視認されることとなる。
　したがって、本件補正発明の「当該鎧部で区画された領域の外側の前記遊技領域の裏面に位置していた部位が当該鎧部で区画された領域の内側の前記表示装置の表示領域の前面と重なる位置に移動し、当該鎧部で区画された領域の内側の前記表示装置の表示領域の前面と重なる位置において前記遊技領域の裏面に位置していた部位を含む当該装飾部材の全体が視認可能となる」との記載における「全体が視認可能」とは、全体が透過部を介さずに直接視認可能であることを意味すると解するのが相当である。
　なお、審判請求書においては、「この「Ｇ」の部分全体が表示枠体１００で区画された領域の内側の図柄表示装置１３（本願発明の「表示装置」に相当）の表示部１３ａ（本願発明の「表示領域」に相当）の前面と重なる位置に移動することはないため、可動部材５０３全体を直接視認することはできません。つまり、上記の第１位置においても第２位置においても、透明な盤本体４２を介すことなく可動部材５０３全体を視認することはできません。」と主張されているところ、先の認定は審判請求書における主張とも符合するものである。
（ｄ−５）上記（ｄ−１）〜（ｄ−４）での検討より、刊行物１発明の「可動部材５０３は、所定条件が成立すると移動し、裏ユニット５０における表示開口５３の上縁辺と上側の周板部５４との間に位置する第１位置から、図柄表示装置１３の表示部１３ａにおける中央部側の第２位置まで下方へ移動すると、第１位置にあるときに、表示枠体１００よりも外側かつ外レール４５の内側に存在し、重なり部５８２,５８２における盤本体４２の後方に位置していた部位が移動し、可動部材５０３が下方に移動する際に、透明な盤本体４２を介して左右の重なり部５８２,５８２を視認し得るので、遊技者は可動部材５０３の全体を確認することができる、パチンコ機１０」は、本件補正発明の「前記装飾部材は、所定の遊技状態に基づいて移動可能に構成され、前記鎧部で区画された領域の内側方向へ移動することにより、当該鎧部で区画された領域の外側の前記遊技領域の裏面に位置していた部位が当該鎧部で区画された領域の内側の前記表示装置の表示領域の前面と重なる位置に移動し、当該鎧部で区画された領域の内側の前記表示装置の表示領域の前面と重なる位置において前記遊技領域の裏面に位置していた部位を含む当該装飾部材の全体が視認可能となることを特徴とする遊技機」と、「前記装飾部材は、所定の遊技状態に基づいて移動可能に構成され、前記鎧部で区画された領域の内側方向へ移動することにより、当該鎧部で区画された領域の外側の前記遊技領域の裏面に位置していた部位が」「移動」する「遊技機」である点で共通する。
　上記（ａ）〜（ｄ）の対比より、本件補正発明と刊行物１発明とは、次の点で一致している。
「Ａ　遊技球が流下可能な遊技領域に変動表示ゲームを表示可能な表示装置の前方で当該表示装置の表示領域の周囲を囲む枠状の前面構成体を備える遊技機において、
Ｂ　前記前面構成体は、当該前面構成体内への遊技球の進入を防止する鎧部を備え、
Ｃ　前記鎧部で区画された領域の外側と内側とを跨ぐように装飾部材が配設され、
Ｄ’前記装飾部材は、所定の遊技状態に基づいて移動可能に構成され、前記鎧部で区画された領域の内側方向へ移動することにより、当該鎧部で区画された領域の外側の前記遊技領域の裏面に位置していた部位が移動する遊技機。」
　そして、本件補正発明と刊行物１発明とは、次の点で相違している。
（相違点１）
　装飾部材の鎧部で区画された領域の外側の遊技領域の裏面に位置していた部位の移動に関して、本件補正発明は、「当該鎧部で区画された領域の内側の前記表示装置の表示領域の前面と重なる位置に移動し、当該鎧部で区画された領域の内側の前記表示装置の表示領域の前面と重なる位置において前記遊技領域の裏面に位置していた部位を含む当該装飾部材の全体が視認可能となる」のに対して、刊行物１発明は、そのような態様でない点。（構成Ｄ）
（４）判断
　上記相違点１について検討する。
　刊行物１は、「左右の重なり部５８２,５８２は、可動部材５０３が下方に移動するにつれて、徐々に表示枠体１００の窓口１００ａに臨むので、遊技者は、重なり部５８２,５８２を含む可動部材５０３全体を直接視認することができる。」（段落【０３１６】）との効果について言及したものであるところ、刊行物１発明は、可動部材５０３が下方に移動した際に、可動部材５０３全体を直接視認しようとする動機付けを内在するものといえる。
　他方、遊技機の技術分野において、表示装置の表示領域の上方周縁に位置していた演出部材が下方へ移動したときに、表示領域の前面と重なる位置において全体を直接視認可能とすることは、例えば、特開２０１３−２７４９６号公報（段落【００２６】、【００３２】、【００５１】、【００６０】、図３〜４、７〜９には、可動役物１１０の左右方向幅は、液晶画面２６の左右方向幅よりも小さく形成され、可動役物１１０の上下方向幅は、液晶画面２６の上下方向幅よりも小さく形成されること、可動役物１１０は、センター役物１２の上部の背後に配置され、概ね全てがセンター役物１２によって遊技者側から視認不能となり、下端部がセンター役物１２の上部より下方であって液晶画面２６の上端部の前方に配置される収容位置から、下方の出現位置へ向けて移動し、出現位置では、正面視で液晶画面２６の略半分程度が可動役物１１０の背後に配置されることとなり、可動役物１１０の背後に配置された液晶画面２６は、前記可動役物１１０により遊技者側から視認不能となること、及び図柄表示装置１３の液晶画面２６が、遊技板１０に取り付けられたセンター役物１２のセンター開口部２７の後方に配置されるため、前方からセンター開口部２７を介して、すなわち透明板等を介さずに直接、液晶画面２６に表示される図柄遊技を視認することが記載されている。）、特開２０１１−１１０２０２号公報（段落【００２３】、【００５８】、図３〜４には、図柄表示部１０５の上方の上方位置ＰＨにおいては、演出用可動部品１２６が「銭形平次」との表示に隠れて全体が視認できず、演出用可動部品１２６が上方位置ＰＨに移動した状態でモータ１１を逆方向に回転させると、演出用可動部品１２６を下方位置ＰＬに移動させることができ、下方位置ＰＬにおいては、図柄表示部１０５の前面において演出用可動部品１２６の全体が視認可能であることが記載されている。また、下方位置ＰＬにおいて、演出用可動部品１２６より手前に透明板等が存在することは把握できないから、演出用可動部品１２６は透明板等を介さずに直接視認可能であるといえる。）、特開２０１３−９８９１号公報（段落【０１７０】〜【０１７９】、図１５〜２３には、第１可動演出部材７３１が初期位置にあるとき、表示部４１ａの上方であって、遊技盤３０の前方から見たときに表示装置４１の表示部４１ａの前面に重ならない位置にあり、第１可動演出部材７３１が下降して下降しきった状態になると、表示部４１ａの前面に重なる位置に配置されて第１可動演出部材７３１の全体が視認可能であることが記載されている。また、第１可動演出部材７３１が下降しきった状態において、第１可動演出部材７３１より手前に透明板等が存在することは把握できないから、第１可動演出部材７３１は透明板等を介さずに直接視認可能であるといえる。）に示されるように、本願の出願日前における周知技術である。
　したがって、刊行物１発明において、上記の動機付けに基づいて可動部材５０３が下方の第２位置に移動した際に可動部材５０３全体を直接視認可能とすべく、上記周知技術を適用して、重なり部５８２,５８２における盤本体４２の後方に位置していた部位が、表示部１３ａが表示する領域の前面と重なる位置に移動し、当該位置において重なり部５８２,５８２における盤本体４２の後方に位置していた部位を含む可動部材５０３の全体が直接視認可能となるようにし、以て上記相違点１に係る構成とすることは、当業者が容易に想到し得ることである。
（５）請求人の主張について
ア　請求人は、審判請求書の「３−３　本願発明が特許されるべき理由」において、「引用文献１に開示されている遊技機においては、第１可動演出装置５００の前面に「ＧＯＤＺＩＬＬＡ」のロゴが構成された可動部材５０３（本願発明の「装飾部材」に相当）が上下方向に往復移動しますが、図５に示されている第１位置においても図６に示されている第２位置においても、左端の「Ｇ」の部分（重なり部５８２）は庇状部１２４（本願発明の「鎧部」に相当）の外側と内側に跨がる位置にあり、この「Ｇ」の部分全体が表示枠体１００で区画された領域の内側の図柄表示装置１３（本願発明の「表示装置」に相当）の表示部１３ａ（本願発明の「表示領域」に相当）の前面と重なる位置に移動することはないため、可動部材５０３全体を直接視認することはできません。つまり、上記の第１位置においても第２位置においても、透明な盤本体４２を介すことなく可動部材５０３全体を視認することはできません。　このため、引用文献１に開示されている遊技機から本願請求項１及び２の発明の構成は得られません。」と主張している。
　しかしながら、上記（４）において検討したように、表示装置の表示領域の上方周縁に位置していた演出部材が下方へ移動したときに、表示領域の前面と重なる位置において全体を直接視認可能とすることは、本願の出願日前における周知技術であり、刊行物１発明に上記周知技術を適用して請求人の主張に係る構成とすることは、当業者が容易に想到し得たことである。
　よって、請求人の上記主張を採用することはできない。
イ　請求人は、審判請求書の「３−３　本願発明が特許されるべき理由」において、「本願請求項１及び２の発明は、引用文献等１との構成の差異に基づく効果、すなわち、「・・・ので、例えば遊技領域に備えた透明部材等を介すことなく装飾部材の全体を視認することができ、当該装飾部材が備えた本来の装飾効果を好適に発揮することができる。」及び「鎧部で区画された領域の内側の表示装置の表示領域の前面と重なる位置において遊技領域の裏面に位置していた部位を含む当該装飾部材の全体が視認可能となることによって、表示装置と装飾部材とによる複合的な演出を効果的に行うことができる。」という本願請求項１及び２の発明に特有の効果による差異も有しております。」と主張している。
　しかしながら、請求人の主張する効果は、上記（４）で検討した周知技術により奏されるものであるところ、請求人の主張する効果は、刊行物１発明及び周知技術から当業者が予測し得る程度のものであって、格別のものではない。
　よって、請求人の上記主張を採用することはできない。
（６）まとめ
　以上のように、本件補正発明は、当業者が刊行物１発明、及び周知技術に基づいて容易に発明をすることができたものであるから、特許法第２９条第２項の規定により、特許出願の際独立して特許を受けることができない。
４　補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について　
１　本願発明
　本件補正は上記のとおり却下されたので、本願の各請求項に係る発明は、平成２９年４月１７日付け手続補正書により補正された特許請求の範囲に記載されたとおりのものであり、特に、その請求項１に係る発明（以下「本願発明」という。）は次のとおりのものである（ただし、Ａ〜Ｄは、分説するために当審で付した。）。
「【請求項１】
Ａ　遊技球が流下可能な遊技領域に変動表示ゲームを表示可能な表示装置の前方で当該表示装置の表示領域の周囲を囲む枠状の前面構成体を備える遊技機において、
Ｂ　前記前面構成体は、当該前面構成体内への遊技球の進入を防止する鎧部を備え、
Ｃ　前記鎧部で区画された領域の外側と内側とを跨ぐように装飾部材が配設され、
Ｄ　前記装飾部材は、所定の遊技状態に基づいて移動可能に構成され、前記鎧部の内側方向へ移動することにより、前記遊技領域の後方に位置していた部位が前記表示装置の表示領域の前方に移動し、当該表示領域の前方領域において当該装飾部材の全体像が把握可能となることを特徴とする遊技機。」
２　刊行物　
　刊行物１及びその記載事項並びに刊行物１発明は、上記「第２　３（２）（２−１）」に記載したとおりである。
３　対比・判断
　本願発明は、上記「第２　３（１）」で検討した本件補正発明の「前記鎧部で区画された領域の内側方向へ移動することにより」との事項において、「で区画された領域」との限定を省き、「当該鎧部で区画された領域の外側の前記遊技領域の裏面に位置していた部位が当該鎧部で区画された領域の内側の前記表示装置の表示領域の前面と重なる位置に移動し」との事項において、「当該鎧部で区画された領域の外側の」及び「当該鎧部で区画された領域の内側の」との限定を省き、かつ「裏面」との記載を「後方」に、「前面と重なる位置」との記載を「前方」にそれぞれ換え、「当該鎧部で区画された領域の内側の前記表示装置の表示領域の前面と重なる位置において前記遊技領域の裏面に位置していた部位を含む当該装飾部材の全体が視認可能となる」との事項において、「鎧部で区画された領域の内側の前記表示装置の」及び「前記遊技領域の裏面に位置していた部位を含む」との限定を省き、かつ「前面と重なる位置」との記載を「前方領域」に、「全体が視認可能」との記載を「全体像が把握可能」にそれぞれ換えたものである。
　本願発明と刊行物１発明とを対比する。
（ａ）〜（ｃ）上記「第２　３（３）」での検討より、刊行物１発明の構成ａ〜ｃは、それぞれ本願発明の構成Ａ〜Ｃに相当する。
（ｄ）
（ｄ−１）上記「第２　３（３）（ｄ）（ｄ−１）」での検討より、刊行物１発明の「可動部材５０３は、所定条件が成立すると移動」することは、本願発明の「前記装飾部材は、所定の遊技状態に基づいて移動可能に構成され」ることに相当する。
（ｄ−２）上記「第２　３（３）（ｄ）（ｄ−２）」での検討をふまえると、刊行物１発明において「裏ユニット５０における表示開口５３の上縁辺と上側の周板部５４との間に位置する第１位置から、図柄表示装置１３の表示部１３ａにおける中央部側の第２位置まで下方へ移動」することは、本願発明において「前記鎧部の内側方向へ移動すること」に相当する。
（ｄ−３）上記「第２　３（３）（ｄ）（ｄ−３）」での検討をふまえると、刊行物１発明の「第１位置にあるときに、表示枠体１００よりも外側かつ外レール４５の内側に存在し、重なり部５８２,５８２における盤本体４２の後方に位置していた部位」は、本願発明の「前記遊技領域の後方に位置していた部位」に相当する。
　また、刊行物１発明において、「図柄表示装置１３」は「裏ユニット５０における設置板部５２の後側に取り付けられて」おり（構成ａ）、「可動部材５０３」は「設置板部５２の表示開口５３の上側に延在する上辺部５２ａ前面に設置され」ている（構成ｃ）から、各々についての「設置板部５２」との前後の位置関係より、「可動部材５０３」は「図柄表示装置１３」の表示をおこなう領域よりも前方にあるといえる。そうすると、刊行物１発明において、「第１位置にあるときに、表示枠体１００よりも外側かつ外レール４５の内側に存在し、重なり部５８２,５８２における盤本体４２の後方に位置していた部位」が移動した場合において、当該部位が、「図柄表示装置１３」の表示をおこなう領域の前方にあることは明らかである。
　したがって、刊行物１発明において「第１位置にあるときに、表示枠体１００よりも外側かつ外レール４５の内側に存在し、重なり部５８２,５８２における盤本体４２の後方に位置していた部位が移動」することは、本願発明において「前記遊技領域の後方に位置していた部位が前記表示装置の表示領域の前方に移動」することに相当する。
（ｄ−４）上記（ｄ−３）での検討と同様の理由により、刊行物１発明において、「第１位置にあるときに、表示枠体１００よりも外側かつ外レール４５の内側に存在し、重なり部５８２,５８２における盤本体４２の後方に位置していた部位」が移動した場合において、当該部位は「図柄表示装置１３」の表示をおこなう領域の前方の領域にあるといえる。
　また、刊行物１発明において「遊技者は可動部材５０３の全体を確認することができる」ことは、本願発明において「当該装飾部材の全体像が把握可能」であることに相当する。
　したがって、刊行物１発明において「第１位置にあるときに、表示枠体１００よりも外側かつ外レール４５の内側に存在し、重なり部５８２,５８２における盤本体４２の後方に位置していた部位が移動」して、「可動部材５０３が下方に移動する際に、透明な盤本体４２を介して左右の重なり部５８２,５８２を視認し得るので、遊技者は可動部材５０３の全体を確認することができる」ことは、本願発明において「当該表示領域の前方領域において当該装飾部材の全体像が把握可能となる」ことに相当する。
（ｄ−５）上記（ｄ−１）〜（ｄ−４）での検討より、刊行物１発明の「可動部材５０３は、所定条件が成立すると移動し、裏ユニット５０における表示開口５３の上縁辺と上側の周板部５４との間に位置する第１位置から、図柄表示装置１３の表示部１３ａにおける中央部側の第２位置まで下方へ移動すると、第１位置にあるときに、表示枠体１００よりも外側かつ外レール４５の内側に存在し、重なり部５８２,５８２における盤本体４２の後方に位置していた部位が移動し、可動部材５０３が下方に移動する際に、透明な盤本体４２を介して左右の重なり部５８２,５８２を視認し得るので、遊技者は可動部材５０３の全体を確認することができる、パチンコ機１０」は、本願発明の「前記装飾部材は、所定の遊技状態に基づいて移動可能に構成され、前記鎧部の内側方向へ移動することにより、前記遊技領域の後方に位置していた部位が前記表示装置の表示領域の前方に移動し、当該表示領域の前方領域において当該装飾部材の全体像が把握可能となる」「遊技機」に相当する。
　上記（ａ）〜（ｄ）の対比より、本願発明と刊行物１発明とは、
「Ａ　遊技球が流下可能な遊技領域に変動表示ゲームを表示可能な表示装置の前方で当該表示装置の表示領域の周囲を囲む枠状の前面構成体を備える遊技機において、
Ｂ　前記前面構成体は、当該前面構成体内への遊技球の進入を防止する鎧部を備え、
Ｃ　前記鎧部で区画された領域の外側と内側とを跨ぐように装飾部材が配設され、
Ｄ　前記装飾部材は、所定の遊技状態に基づいて移動可能に構成され、前記鎧部の内側方向へ移動することにより、前記遊技領域の後方に位置していた部位が前記表示装置の表示領域の前方に移動し、当該表示領域の前方領域において当該装飾部材の全体像が把握可能となる遊技機。」
である点で一致しており、相違点はない。
　したがって、本願発明は刊行物１に記載された発明である。
　また、仮に相違点があったとしても、本願発明は当業者が刊行物１に記載された発明に基づいて容易に発明をすることができたものである。
４　むすび　
　以上のとおりであるから、本願発明は、特許法第２９条第１項第３号に該当し、または同条第２項の規定により、特許を受けることができない。
　したがって、その余の請求項について検討するまでもなく、本願は拒絶されるべきものである。　
　よって、結論のとおり審決する。